(57)【要約】【課題】表示領域の大きさが異なる複数の表示手段に画像データを表示させる場合に、迅速に表示を行うことができる情報処理端末機を提供する。【解決手段】カメラ付き携帯電話機１の動作モードが撮影モードに移行し、画像データ保存処理が開始され（ａ１）、カメラ１４が起動する（ａ２）。ユーザによって撮影ボタンが押し下げられたか否かを判断し（ａ３）、押し下げられていれば、撮影ボタンの押下時にメインＬＣＤ１０に表示されていた画像データがメインサイズの画像データとしてメモリ１２の所定領域に保存される（ａ４）。続いて、予め設定されている手順に従って、メインサイズの画像データを自動的にサブサイズの画像データに修正して保存する（ａ５）。【選択図】　　　図４
2004128964.tif 000002
【特許請求の範囲】
【請求項１】
複数の表示手段と、
前記表示手段に表示する画像データを作成する画像データ作成手段と、
作成した画像データを保存する保存手段とを備える情報処理端末機において、前記複数の表示手段には、少なくとも前記画像データを表示する表示領域の大きさが他の表示手段とは異なる表示手段が含まれ、
前記画像データ作成手段は、前記表示手段の前記表示領域の大きさに応じて複数の画像データを作成し、
前記保存手段は、作成された前記複数の画像データを保存することを特徴とする情報処理端末機。
【請求項２】
２つの表示手段と、
入射光を電気信号に変換して画像データを生成する撮像手段と、
前記撮像手段で生成した前記画像データに基づいて、前記表示手段に表示する画像データを作成する画像データ作成手段と、
作成した画像データを保存する保存手段とを備える情報処理端末機において、前記２つの表示手段は、画像データを表示する表示領域の大きさが互いに異なり、
前記画像データ作成手段は、前記表示手段の前記表示領域の大きさに応じて２つの画像データを作成し、
前記保存手段は、作成された前記２つの画像データを保存し、
前記表示手段は、前記２つの画像データのうち、前記表示領域の大きさに応じた画像データ表示することを特徴とする情報処理端末機。
【請求項３】
前記撮像手段は、前記２つの表示手段のうち、大きい表示領域を有する表示手段に応じて画像データを生成し、
前記画像データ作成手段は、前記撮像手段によって生成された画像データを縮小することによって、小さい表示領域を有する表示手段に応じた大きさの画像データを作成することを特徴とする請求項２記載の情報処理端末機。
【請求項４】
前記撮像手段は、前記２つの表示手段のうち、大きい表示領域を有する表示手段に応じた大きさの画像データを生成し、
前記画像データ作成手段は、前記撮像手段によって生成された大きい表示領域を有する表示手段に応じた大きさの画像データから所定の範囲の画像データを抽出することによって、小さい表示領域を有する表示手段に応じた大きさの画像データを作成することを特徴とする請求項２記載の情報処理端末機。
【請求項５】
前記所定の範囲が設定される位置は、前記大きい表示領域を有する表示手段に応じた大きさの画像データの中に予め設定されている複数の位置から、選択されることを特徴とする請求項４記載の情報処理端末機。
【請求項６】
前記所定の範囲が設定される位置は、前記大きい表示領域を有する表示手段に応じた大きさの画像データの中から、任意に指定されることを特徴とする請求項４記載の情報処理端末機。
【請求項７】
前記情報処理端末機は、電話機能を有するとともに、携帯可能に構成されることを特徴とする請求項１〜６のいずれか１つに記載の情報処理端末機。
【発明の詳細な説明】
【０００１】
【発明の属する技術分野】
本発明は、たとえば２つの大きさの異なる表示手段と撮像手段とを備える携帯電話機に好適に実施される情報処理端末機に関する。
【０００２】
【従来の技術】
カメラを備えた携帯電話機においては、携帯電話機に備えられているカメラで撮影する場合、携帯電話機に備えられている表示装置であるＬＣＤ（Ｌｉｑｕｉｄ
Ｃｒｙｓｔａｌ　Ｄｉｓｐｌａｙ）をファインダとして利用している。このとき表示される画像データのサイズは、ＬＣＤの表示領域のサイズに適したサイズとなっている。シャッタボタンを押して、画像データを記憶する場合、ファインダであるＬＣＤに表示されていた画像データが、そのままのサイズで記憶装置に保存される。したがって、保存された画像データのサイズは、ＬＣＤの表示領域のサイズに対応するものである。
【０００３】
また、主に使用されるＬＣＤ（メインＬＣＤ）と、メインＬＣＤよりサイズの小さいＬＣＤ（サブＬＣＤ）とを備えているような携帯電話機においては、一般的にはメインＬＣＤの表示領域に適したサイズの画像データのみを記憶装置に保存している（特許文献１参照）。したがって、メインＬＣＤに画像データを表示するときは、記憶手段に保存されている画像データをそのまま用いることができ、特に画像データのサイズの変更を行う必要はない。しかし、サブＬＣＤに画像データを表示するときは、記憶手段に保存されている画像データはサイズが異なるので、サブＬＣＤのサイズに合わせた画像データを別途作成する必要がある。たとえば、保存手段に保存されている画像データをサブＬＣＤの表示領域のサイズに合わせて縮小したり、あるいは保存されている画像データからサブＬＣＤの表示領域のサイズに合わせた画像データを抽出したりすることによって、サブＬＣＤ用の画像データを作成している。
【０００４】
【特許文献１】
特開２００２−１９９４６３号公報（第４−９頁、第１，２，４図）
【０００５】
【発明が解決しようとする課題】
メインＬＣＤおよびサブＬＣＤを備える携帯電話機の場合、前述のようにカメラによって撮影された画像データをサブＬＣＤに表示させるためには、画像データを縮小する縮小処理を行うか、画像データの一部を抽出するいわゆる切り抜き処理を行う必要がある。この場合、サブＬＣＤに画像データを表示させるたびに、縮小処理あるいは切り抜き処理を行わなければならず、表示が行われるまでに時間がかかるという問題がある。
【０００６】
また、サブＬＣＤにいわゆる待受画面を設定する場合においても、縮小処理あるいは切り抜き処理をしてから、処理された画像データを設定することになるので、サブＬＣＤに表示させるまでに時間がかかってしまい、ユーザが待受画面を設定し直そうとしても迅速に行うことができないという問題がある。
【０００７】
本発明の目的は、表示領域の大きさが異なる複数の表示手段に画像データを表示させる場合に、迅速に表示を行うことができる情報処理端末機を提供することである。
【０００８】
【課題を解決するための手段】
本発明は、複数の表示手段と、
前記表示手段に表示する画像データを作成する画像データ作成手段と、
作成した画像データを保存する保存手段とを備える情報処理端末機において、前記複数の表示手段には、少なくとも前記画像データを表示する表示領域の大きさが他の表示手段とは異なる表示手段が含まれ、
前記画像データ作成手段は、前記表示手段の前記表示領域の大きさに応じて複数の画像データを作成し、
前記保存手段は、作成された前記複数の画像データを保存することを特徴とする情報処理端末機である。
【０００９】
本発明に従えば、複数の表示手段の表示領域に応じた画像データが、画像データ作成手段によってそれぞれ作成され、作成された複数の画像データは、保存手段によって保存される。
【００１０】
このように、複数の表示手段ごとに画像データが作成されて保存されるので、表示手段に画像データを表示させる場合には、保存されている画像データの中から、表示手段の表示領域に応じた画像データを選択し、これをそのまま表示することができる。したがって、いずれの表示手段に画像データを表示させる場合であっても、改めて当該表示手段の表示領域に応じた画像データを作成する必要がなくなる。これによって、表示手段に画像データを迅速に表示することができる。
【００１１】
また本発明は、２つの表示手段と、
入射光を電気信号に変換して画像データを生成する撮像手段と、
前記撮像手段で生成した前記画像データに基づいて、前記表示手段に表示する画像データを作成する画像データ作成手段と、
作成した画像データを保存する保存手段とを備える情報処理端末機において、前記２つの表示手段は、画像データを表示する表示領域の大きさが互いに異なり、
前記画像データ作成手段は、前記表示手段の前記表示領域の大きさに応じて２つの画像データを作成し、
前記保存手段は、作成された前記２つの画像データを保存し、
前記表示手段は、前記２つの画像データのうち、前記表示領域の大きさに応じた画像データ表示することを特徴とする情報処理端末機である。
【００１２】
本発明に従えば、２つの表示手段の表示領域に応じた画像データが、画像データ作成手段によってそれぞれ作成される。作成された２つの画像データは、保存手段によって保存される。表示手段は、保存された２つの画像データのうち、表示領域の大きさに応じた画像データを表示する。
【００１３】
このように、２つの表示手段に対応する画像データが２つ作成されて保存されるので、それぞれの表示手段に画像データを表示させる場合には、保存されている画像データの中から、表示領域に応じた画像データを選択し、これをそのまま表示することができる。したがって、いずれの表示手段に画像データを表示させる場合であっても、改めて当該表示手段の表示領域に応じた画像データを作成する必要がなくなる。これによって、表示手段に画像データを迅速に表示することができる。
【００１４】
また本発明は、前記撮像手段は、前記２つの表示手段のうち、大きい表示領域を有する表示手段に応じた大きさの画像データを生成し、
前記画像データ作成手段は、前記撮像手段によって生成された大きい表示領域を有する表示手段に応じた大きさの画像データを縮小することによって、小さい表示領域を有する表示手段に応じた大きさの画像データを作成することを特徴とする。
【００１５】
本発明に従えば、撮像手段によって作成された大きい表示領域を有する表示手段に応じた大きさの画像データを、画像データ作成手段によって縮小することで、小さい表示領域を有する表示手段に応じた大きさの画像データが作成される。
【００１６】
このように、撮像手段によって生成された画像データは、大きい表示領域を有する表示手段に応じた大きさの画像データであるので、この画像データを縮小することによって、小さい表示領域を有する表示手段に応じた大きさの画像データを容易に作成することができる。この場合、縮小された画像データの精度は、極端に低くなることはないので、作成された画像データをユーザが認識できないという問題は生じない。
【００１７】
また本発明は、前記撮像手段は、前記２つの表示手段のうち、大きい表示領域を有する表示手段に応じた大きさの画像データを生成し、
前記画像データ作成手段は、前記撮像手段によって生成された大きい表示領域を有する表示手段に応じた大きさの画像データから所定の範囲の画像データを抽出することによって、小さい表示領域を有する表示手段に応じた大きさの画像データを作成することを特徴とする。
【００１８】
本発明に従えば、撮像手段によって作成された大きい表示領域を有する表示手段に応じた大きさの画像データから、画像データ作成手段によって所定の範囲の画像データが抽出されることで、小さい表示領域を有する表示手段に応じた大きさの画像データが作成される。
【００１９】
このように、撮像手段によって生成された画像データは、大きい表示領域を有する表示手段に応じた大きさの画像データであるので、この画像データから所定の範囲の画像データを抽出することによって、小さい表示領域を有する表示手段に応じた大きさの画像データを容易に作成することができる。この場合、抽出された画像データには、抽出前の画像データの内容を認識できる程度の情報を含んでいるので、作成された画像データをユーザが認識できないという問題は生じない。
【００２０】
また本発明は、前記所定の範囲が設定される位置は、前記大きい表示領域を有する表示手段に応じた大きさの画像データの中に予め設定されている複数の位置から、選択されることを特徴とする。
【００２１】
本発明に従えば、画像データを抽出する所定の範囲の位置は、予め設定されている複数の位置の中から選択される。これによって、撮像手段によって生成された画像データに対応させて、画像データを抽出する範囲の位置を変更することができる。
【００２２】
また本発明は、前記所定の範囲が設定される位置は、前記大きい表示領域を有する表示手段に応じた大きさの画像データの中から、任意に指定されることを特徴とする。
【００２３】
本発明に従えば、画像データを抽出する所定の範囲の位置は、任意に指定される。これによって、ユーザは好みに応じて、画像データを抽出する所定の範囲を指定することができる。
【００２４】
また本発明は、前記情報処理端末機は、電話機能を有するとともに、携帯可能に構成されることを特徴とする。
【００２５】
本発明に従えば、情報処理端末機は、電話機能を有し、携帯可能に構成されたいわゆる携帯電話機である。これによって、２つの表示手段を備える携帯電話機や、２つの表示手段とともに撮像手段を備える携帯電話機において、画像データを表示手段に迅速に表示することができる。
【００２６】
【発明の実施の形態】
本実施形態では、情報処理端末機の１種であるカメラ付き携帯電話機を例にとり、カメラによって撮影した画像データについて、メインＬＣＤ（Ｌｉｑｕｉｄ
Ｃｒｙｓｔａｌ　Ｄｉｓｐｌａｙ）用およびサブＬＣＤ用の２種類の画像データを作成し、保存しておく場合を説明する。以下、本発明の実施形態について説明する。
【００２７】
図１は、カメラ付き携帯電話機１の構成を示すブロック図である。カメラ付き携帯電話機１は、メインＬＣＤ１０、表示処理部１１、メモリ１２、カメラドライバ１３、カメラ１４、サブＬＣＤ１５、ＣＰＵ（Ｃｅｎｔｒａｌ　Ｐｒｏｃｅｓｓｏｒ　Ｕｎｉｔ）１６、ユーザ操作部１７、通信部１８、アンテナ１９、スピーカ１１０およびマイク１１１から構成される。メインＬＣＤ１０およびサブＬＣＤ１５は表示手段、を構成し、ＣＰＵ１６および表示処理部１１は画像データ作成手段を構成し、ＣＰＵ１６およびメモリ１２は保存手段を構成する。また、通信部１８およびアンテナ１９は通信手段を構成し、カメラ１４およびカメラドライバ１３は撮像手段を構成する。
【００２８】
通信部１８は、アンテナ１９を介して、無線によって公衆回線に接続し、これによってカメラ付き携帯電話機１は他の携帯電話機などと通信可能となる。スピーカ１１０は通信部１８で受信した音声データを音声に変換して出力し、マイク１１１はユーザが入力した音声を音声データに変換する。これによって、ユーザは通話を行うことができる。ユーザ操作部１７は、カメラキー、ダイヤルキー、カーソルキー、決定キーなどの複数のキーからなり、電話番号の入力や、メニューの選択、カメラ１４による撮影時にユーザが操作する。
【００２９】
カメラ１４は被写体を撮影し、入射光を電気信号に変換して画像データを生成する。メインＬＣＤ１０およびサブＬＣＤ１５は、メニュー画面やカメラ１４で撮影した画像データを表示し、ファインダとして利用することができる。なお、サブＬＣＤ１５の表示領域のサイズは、メインＬＣＤ１０の表示領域のサイズよりも小さいものとなっている。なお、メインＬＣＤ１０とサブＬＣＤ１５とにおける各表示領域内の画素配列密度は同じものとする。
【００３０】
ＣＰＵ１６は、カメラ付き携帯電話機１の各構成部の動作、たとえば電話通信や、撮影などの動作を制御する。カメラ付き携帯電話機１によって被写体を撮影する際、ＣＰＵ１６は、カメラ１４から入力された被写体の映像を画像データとしてカメラドライバ１３に入力し、一旦メモリ１２に保存させた後、表示処理部１１に送信し、メインＬＣＤ１０に表示させる。
【００３１】
メモリ１２への画像データの保存は、ユーザ操作部１７が備えるカメラ撮影ボタンを押し下げることによって行われ、カメラ撮影ボタンの押下時にメインＬＣＤ１０に表示されている画像データが、メモリ１２の所定の領域に保存される。
【００３２】
図２はカメラ付き携帯電話機１をメインＬＣＤ１０側から見た外観図であり、図３はカメラ付き携帯電話機１をサブＬＣＤ１５側から見た外観図である。カメラ付き携帯電話機１は、略長方体状の第１筺体２１および第２筺体２２から成り、カメラ付き携帯電話機１を折り畳んだときに内側となる第１筺体２１の表面にはメインＬＣＤ１０が設けられ、折り畳んだときに内側となる第２筺体２２の表面にはユーザ操作部１７を構成する操作ボタン２０が設けられ、カメラ付き携帯電話機１を折り畳むと、これらが第１および第２筺体に保護されるように構成されている。
【００３３】
サブＬＣＤ１５、カメラ１４およびアンテナ１９も第１筺体２１の表面に設けられており、これらはメインＬＣＤ１０とは反対の外側となる面に設けられている。このように、メインＬＣＤ１０の他に、サブＬＣＤ１５が第１筺体２１に設けられていることから、カメラ付き携帯電話機１が閉じているためにメインＬＣＤ１０を見ることができない状態においても、ユーザに画像データの内容を把握させることができる。
【００３４】
図４は、カメラ１４にて撮影した画像データを保存する画像データ保存処理の手順を示すフローチャートである。カメラキーが押されたり、メニュー画面で撮影モードが選択されたりすることで、カメラ付き携帯電話機１の動作モードが撮影モードに移行し、ステップａ１で画像データ保存処理が開始される。ステップａ２では、カメラ１４が起動する。撮影モードでは、カメラ１４から入力される画像データは、逐次メインＬＣＤ１０へ送信され、表示されている。ステップａ３では、ユーザによって撮影ボタンが押し下げられたか否かを判断する。押し下げられていればステップａ４に進み、押し下げられていなければ待機する。
【００３５】
ステップａ４では、撮影ボタンの押下時にメインＬＣＤ１０に表示されていた画像データがメインサイズの画像データとしてメモリ１２の所定領域に保存されるメインサイズ保存処理が行われる。ここでのメインサイズの画像データとは、撮影時に、メインＬＣＤ１０に適するように表示されたメインＬＣＤ１０用の画像データをいう。ステップａ５では、予め設定しておいた手順によって、メインサイズの画像データを自動的にサブサイズの画像データに修正して保存するサブサイズ保存処理が行われる。ここでのサブサイズとは、サブＬＣＤ１５用の画像データをいう。
【００３６】
本実施形態では、この撮影画像データの保存処理において、メインＬＣＤ１０に表示中のメインサイズの画像データを、メモリ１２に保存すると同時に、さらにサブサイズの画像データを作成し、これをメモリ１２に保存する。つまり、１回の撮影画像データの保存処理につき、メインＬＣＤ用、サブＬＣＤ用のように２種類の画像データを作成し、保存するのである。これによって、画像データを表示する場合、メインＬＣＤ１０には保存されているメインサイズの画像データを表示し、サブＬＣＤ１５には保存されているサブサイズの画像データを表示するだけでよく、画像データを表示するたびに縮小処理や切り抜き処理を行う必要がなくなる。また、待受画面の設定を行う場合、メインＬＣＤ１０の待受画面には保存されているメインサイズの画像データを選択し、サブＬＣＤ１５の待受画面には保存されているサブサイズの画像データを選択するだけでよく、設定するごとに縮小処理や切り抜き処理を行う必要がなくなる。したがって、画像データの表示および待受画面の設定を迅速に行うことができる。
【００３７】
次に、画像データをサブサイズに修正するサブサイズ保存処理について、詳述する。サブサイズの画像データは、まずメインサイズ保存処理でメモリ１２に保存されているメインサイズの画像データを複製し、この複製した画像データに対して所定の処理を行うことで作成される。サブサイズ保存処理が行われるに際し、カメラ１４の撮影前に、予めメインサイズの撮影画像データをサブサイズに修正する修正方法を設定しておく。この修正方法としては、メインサイズの画像データをサブサイズの画像データに縮小する縮小処理、あるいはメインサイズの画像データの一部分をサブサイズの画像データとする切り抜き処理がある。縮小処理および切り抜き処理について説明する。なお、修正方法の設定は、ユーザが選択できるようにしてもよい。
【００３８】
図５は、縮小処理の概念図である。画像１０４はメインサイズの画像データに基づく画像であり、画像１０５はサブサイズの画像データに基づく画像である。メインサイズの画像データがサブサイズの画像データに縮小されると、画像データに基づく画像は、画像１０４から縮小画像１０５となる。
【００３９】
図６は、切り抜き処理の概念図である。メインサイズの画像データの一部をサブサイズの画像データとすると、サブサイズの画像データに基づく画像は、画像１０４から、破線で囲まれた中央部分１０４ａのみを取り出した切り抜き画像１０６となる。この切り抜き処理は、メインサイズの画像データを構成する画素データ群のうち、たとえば中央にある画素データ群だけを抽出することによって行うことができる。
【００４０】
カメラ撮影時には、前述の縮小処理あるいは切り抜き処理のいずれかを用いてサブサイズの画像データを作成する。
【００４１】
図７は、サブサイズ保存処理の手順を示すフローチャートである。まず、ステップａ５では、サブサイズ保存処理が開始され、メモリ１２に保存されているメインサイズの画像データを複製する。ステップｂ１では、設定されているサブサイズ保存処理は、縮小処理であるのか、切り抜き処理であるのかが判断される。縮小処理である場合にはステップｂ２に進み、切り抜き処理である場合にはステップｂ３に進む。
【００４２】
ステップｂ２では、複製されたメインサイズの画像データをサブサイズの画像データに縮小する縮小処理が行われ、サブサイズの画像データを作成して、メモリ１２に保存する。他方、ステップｂ３では、複製されたメインサイズの画像データの一部分をサブサイズの画像データとする切り抜き処理が行われ、サブサイズの画像データを作成して、メモリ１２に保存する。ステップｂ４では、サブサイズ保存処理を終了し、画像データ保存処理に戻る。
【００４３】
さらに、切り抜き処理について説明する。前述のように、サブサイズの画像データを作成する際に、切り抜き処理を設定すると、複製されたメインサイズの画像データの一部分から成るサブサイズの画像データを作成することができる。メインサイズの画像データの一部として、画像データの中央に位置する範囲の画素データ群を抽出すると、中央に位置する範囲の画素データ群から成るサブサイズの画像データが作成される。また、メインサイズの画像データの右端に位置する範囲の画素データとすると、右端に位置する範囲の画素データ群から成るサブサイズの画像データが作成される。
【００４４】
このようにメインサイズの画像データから切り抜かれる範囲は、予め定められる複数の範囲から選択して決定するようにしてもよいし、メインサイズの画像データの中で任意の位置を指定して決定するようにしてもよい。
【００４５】
まず、メインサイズの画像データから切り抜かれる範囲を、予め定められる複数の範囲から選択して決定する場合について説明する。
【００４６】
図８は、第２筺体２２に設けられた操作ボタン２０のダイヤルキーを示す図である。操作ボタン２０のうち、ダイヤルキーである「１」〜「９」のキーを用いて、メインサイズの画像データの切り抜き範囲の位置を決定する。
【００４７】
メインサイズの画像データの切り抜き範囲の位置を選択して決定する手順について説明する。図９は、切り抜き処理の詳細な手順を示すフローチャートである。
【００４８】
まず、ステップｂ３では、切り抜き処理が開始される。ステップｃ１では、ユーザによって入力された操作ボタン２０のダイヤルキーに応じて、所定の切り抜き範囲の位置を決定する。これによって、メインサイズの画像データのうち、ユーザが選択した範囲が、サブサイズの画像データとして切り抜かれる。ダイヤルキー「１」〜「９」に対応する範囲は、次のような範囲となっている。
【００４９】
「１」は、メインサイズの画像データの左上を基点とする一定範囲。
「２」は、メインサイズの画像データの中央上を基点とする一定範囲。
「３」は、メインサイズの画像データの右上を基点とする一定範囲。
「４」は、メインサイズの画像データの左中段を基点とする一定範囲。
「５」は、メインサイズの画像データの中央を基点とする一定範囲。
「６」は、メインサイズの画像データの右中段を基点とする一定範囲。
「７」は、メインサイズの画像データの左下を基点とする一定範囲。
「８」は、メインサイズの画像データの中央下を基点とする一定範囲。
「９」は、メインサイズの画像データの右下を基点とする一定範囲。
【００５０】
図１０は、ユーザが選択する切り抜き範囲から成るサブサイズの画像データを示す図である。たとえば、ダイヤルキー「１」を押し下げられた場合には、メインサイズの画像データの左上を基点とする画素データ群１０８が指定されることになる。そして、この画素データ群１０８が、サブサイズの画像データ１０９として作成されることになる。また、ダイヤルキー「９」を押し下げた場合には、メインサイズの画像データの右下を基点とする画素データ群１１０が指定されることになる。そして、この画素データ群１１０が、サブサイズの画像データ１１１として保存される。そして、ステップｃ２では、サブサイズの画像データを作成してメモリ１２に保存する。
【００５１】
図９に示した手順においては、ステップｃ１では、ダイヤルキーが押されることにより、所定の切り抜き範囲を決定しているが、切り抜き範囲を予め選択して決定しておいてもよい。なお、ユーザがダイヤルキーを押すタイミングは、撮像ボタンを押下げる（図４に示すステップａ３）前であってもよいし、メインサイズの画像データが保存された（図４に示すステップａ４）後でもよい。メインサイズの画像データが保存された後であれば、メインＬＣＤ１０にメインサイズの画像データを表示させることによって、ユーザがそれを見て切り抜き範囲の位置を選択することができる。
【００５２】
次に、メインサイズの画像データから切り抜かれる範囲を、メインサイズの画像データの中で任意の位置を指定して決定する場合について説明する。
【００５３】
任意の位置を指定する方法として、メインサイズの画像データに重ねて指定フレームを表示し、ユーザがこの指定フレームを移動させて切り抜き範囲の位置を指定する。
【００５４】
図１１は、指定フレーム１１２によって切り抜き範囲を指定する場合の手順を説明する図である。ここでは、指定フレーム１１２，１１３が所定の範囲となる。
【００５５】
メインサイズの画像データをメモリ１２に保存した後、メインＬＣＤ１０にメインサイズの画像データと、これに重ねて矩形状の枠からなる指定フレーム１１２を表示させる。初期の状態では、指定フレーム１１２は、メインサイズの画像データの中央付近に表示される（図１１（ａ）参照）。次に、ユーザが操作ボタン２０中のカーソルキーや、ダイヤルキーなどを入力して指定フレーム１１２の位置を、切り抜きたい位置に移動させる（図１１（ｂ）参照）。指定フレーム１１２を移動させた後、操作ボタン２０中の決定キーなど指定フレームの位置を確定するためのキーを入力すると、指定フレーム１１３に囲まれた部分が切り抜き範囲として決定される。
【００５６】
切り抜き範囲が決定されると、サブサイズの画像データを作成してメモリ１２に保存する。
【００５７】
なお、切り抜き範囲の指定は、メインサイズの画像データをメモリ１２に保存する前に予め指定しておいてもよい。この場合、メインサイズの画像データを表示することはできないので、たとえば、メインサイズの画像データに相当するサイズの枠や、他の画像データなどを表示することで範囲の指定が可能な領域を認識できるようにしておき、その領域内で指定フレームを移動させて指定するようにする。
【００５８】
前述の実施形態では、メインサイズの画像データをサブサイズの画像データに修正する場合について説明したが、本発明は特にこの実施形態に限定されるものではなく、カメラ１４からはサブサイズの画像データが出力され、これからメインサイズの画像データに修正されてもよい。また、処理する画像データは、カメラ１４からの画像データに限らず、外部から入力される画像データ、たとえば他の携帯電話機から送信される画像データや、いわゆるインターネットを利用してダウンロードされた画像データであってもよい。
【００５９】
【発明の効果】
以上のように本発明によれば、複数の表示手段ごとに画像データが作成されて保存されるので、表示手段に画像データを表示させる場合には、保存されている画像データの中から、表示手段の表示領域に応じた画像データを選択し、これをそのまま表示することができる。したがって、いずれの表示手段に画像データを表示させる場合であっても、改めて当該表示手段の表示領域に応じた画像データを作成する必要がなくなる。これによって、表示手段に画像データを迅速に表示することができる。
【００６０】
また本発明によれば、２つの表示手段に対応する画像データが２つ作成されて保存されるので、それぞれの表示手段に画像データを表示させる場合には、保存されている画像データの中から、表示領域に応じた画像データを選択し、これをそのまま表示することができる。したがって、いずれの表示手段に画像データを表示させる場合であっても、改めて当該表示手段の表示領域に応じた画像データを作成する必要がなくなる。これによって、表示手段に画像データを迅速に表示することができる。
【００６１】
また本発明によれば、撮像手段によって生成された画像データは大きい表示領域を有する表示手段に応じた大きさの画像データであるので、この画像データを縮小することによって、小さい表示領域を有する表示手段に応じた大きさの画像データを容易に作成することができる。この場合、縮小された画像データの精度は、極端に低くなることはないので、作成された画像データをユーザが認識できないという問題は生じない。
【００６２】
また本発明によれば、撮像手段によって生成された画像データは大きい表示領域を有する表示手段に応じた大きさの画像データであるので、この画像データから所定の範囲の画像データを抽出することによって、小さい表示領域を有する表示手段に応じた大きさの画像データを容易に作成することができる。この場合、抽出された画像データには、抽出前の画像データの内容を認識できる程度の情報を含んでいるので、作成された画像データをユーザが認識できないという問題は生じない。
【００６３】
また本発明によれば、画像データを抽出する所定の範囲の位置は予め設定されている複数の位置の中から選択できるので、撮像手段によって生成された画像データに対応させて、画像データを抽出する範囲の位置を変更することができる。
【００６４】
また本発明によれば、画像データを抽出する所定の範囲の位置は任意に指定できるので、ユーザは好みに応じて、画像データを抽出する所定の範囲を指定することができる。
【００６５】
また本発明によれば、情報処理端末機は、電話機能を有し、携帯可能に構成されたいわゆる携帯電話機であるので、２つの表示手段を備える携帯電話機や、２つの表示手段とともに撮像手段を備える携帯電話機において、画像データを表示手段に迅速に表示することができる。
【図面の簡単な説明】
【図１】カメラ付き携帯電話機１の構成を示すブロック図である。
【図２】カメラ付き携帯電話機１をメインＬＣＤ１０側から見た外観図である。
【図３】カメラ付き携帯電話機１をサブＬＣＤ１５側から見た外観図である。
【図４】カメラ１４にて撮影した画像データを保存する保存処理の手順を示すフローチャートである。
【図５】縮小処理の概念図である。
【図６】切り抜き処理の概念図である。
【図７】サブサイズ保存処理の手順を示すフローチャートである。
【図８】第２筺体２２に設けられた操作ボタン２０のダイヤルキーを示す図である。
【図９】切り抜き処理の詳細な手順を示すフローチャートである。
【図１０】ユーザが選択する切り抜き範囲から成るサブサイズの画像データを示す図である。
【図１１】予め指定しておいた切り抜き範囲から成るサブサイズの画像データを示す図である。
【符号の説明】
１　カメラ付き携帯電話機
１０　メインＬＣＤ
１１　表示処理部
１２　メモリ
１３　カメラドライバ
１４　カメラ
１５　サブＬＣＤ
１６　ＣＰＵ（Ｃｅｎｔｒａｌ　Ｐｒｏｃｅｓｓｏｒ　Ｕｎｉｔ）
１７　ユーザ操作部
１８　通信部
１９　アンテナ
２０　操作ボタン
２１　第１筺体
２２　第２筺体
１１０　スピーカ
１１１　マイク
１１２，１１３　指定フレーム
【図１】
2004128964.tif 000003
【図２】
2004128964.tif 000004
【図３】
2004128964.tif 000005
【図４】
2004128964.tif 000006
【図５】
2004128964.tif 000007
【図６】
2004128964.tif 000008
【図７】
2004128964.tif 000009
【図８】
2004128964.tif 000010
【図９】
2004128964.tif 000011
【図１０】
2004128964.tif 000012
【図１１】
2004128964.tif 000013